(57)【要約】【課題】空状態での保管スペースを低減した箱型パレット提供する。【解決手段】上面に開口Ｏを有する、フォークリフトにて搬送可能な箱型パレット１１において、開口Ｏよりも小さな底板１１Ｃと、その底板１１Ｃに伸縮自在の張出部とを設けた箱型パレット１１であって、張出部を伸張させると、複数の箱型パレット１１を積み重ねた際に、下段にある箱型パレット１１の開口Ｏの縁部ＯＰに張出部が載置されて底板１１Ｃが下段にある箱型パレット１１の開口Ｏ付近に配置された状態で段積みされ、張出部を収縮させると、複数の箱型パレット１１を積み重ねた際に、底板１１Ｃが下段にある箱型パレット１１の開口Ｏ内に入り込んだ状態で段積みされる。【選択図】図１
2006199314.tif 000002
【特許請求の範囲】
【請求項１】
フォークリフトにて搬送可能かつ上面に開口を有する箱型パレットにおいて、
前記開口よりも小さな底板と、
該底板の下側に伸縮自在の張出部とを設けた箱型パレットであって、
前記張出部を伸張させると、複数の前記箱型パレットを積み重ねた際に、下段にある前記箱型パレットの開口の縁部に前記張出部が載置されて前記底板が前記下段にある箱型パレットの開口付近に配置された状態で段積みされ、
前記張出部を収縮させると、複数の前記箱型パレットを積み重ねた際に、前記底板が下段にある前記箱型パレットの開口内に入り込んだ状態で段積みされることを特徴とする、箱型パレット。
【請求項２】
前記張出部が、
角筒状のガイド部材と、
該ガイド部材内にスライド自在に備える張出部材とを備え、
前記張出部を伸張するときは、前記ガイド部材から前記張出部材をスライドさせて張り出させることを特徴とする、請求項１に記載の箱型パレット。
【請求項３】
前記張出部材のスライド方向に沿って該張出部材の側面に長孔を設けるとともに、該長孔に遊嵌するガイド突起を前記ガイド部材に設け、前記張出部材をスライドする際に、前記長孔が前記ガイド突起に案内されることを特徴とする、請求項２に記載の箱型パレット。
【発明の詳細な説明】
【技術分野】
【０００１】
本発明は、フォークリフトにて搬送可能かつ上面に開口を有する箱型パレットに関する。
【背景技術】
【０００２】
従来の箱型パレットはスクラップなどを回収するためのものであり、例えば図５（ａ）〜（ｃ）に示すように、開口３と同一形状の底板１Ｂ、引掛部２などを備える略角箱状である。引掛部２は底板１Ｂの幅方向の長さＭと同一か若干長めに形成されたもので、箱型パレット１の底板１Ｂの下側に溶接などによって２箇所設けられる。
そして、箱型パレット１を移動するときは、フォークリフトの２本のフォークを２つの引掛部２にそれぞれ挿入して箱型パレット１を持ち上げる。そして、箱型パレット１を段積みするときは、図６に示すように重ねて載置する。
すると、底板１Ｂの幅方向の長さＭよりも若干長く形成された引掛部２が開口３を形成する側板１Ａの縁部３Ａに当接することによって、底板１Ｂが下段にある箱型パレット１の開口３付近に配置された状態で段積みされる。
【発明の開示】
【発明が解決しようとする課題】
【０００３】
しかし、このような従来の箱型パレット１は、スクラップが満杯になったら順次空の箱型パレット１に交換するべく、所望の場所に空の状態で段積みして保管しておくため、スクラップで満杯になった箱型パレット１と同様のスペースを要してしまうという問題があった。
そこでこの発明の目的は、空状態での保管スペースを低減した箱型パレットを提供することにある。
【課題を解決するための手段】
【０００４】
このため請求項１に記載の発明は、フォークリフトにて搬送可能かつ上面に開口を有する箱型パレットにおいて、
前記開口よりも小さな底板と、
該底板の下側に伸縮自在の張出部とを設けた箱型パレットであって、
前記張出部を伸張させると、複数の前記箱型パレットを積み重ねた際に、下段にある前記箱型パレットの開口の縁部に前記張出部が載置されて前記底板が前記下段にある箱型パレットの開口付近に配置された状態で段積みされ、
前記張出部を収縮させると、複数の前記箱型パレットを積み重ねた際に、前記底板が下段にある前記箱型パレットの開口内に入り込んだ状態で段積みされることを特徴とする。
【０００５】
請求項２に記載の発明は、請求項１に記載の箱型パレットにおいて、前記張出部が、
角筒状のガイド部材と、
該ガイド部材内にスライド自在に備える張出部材とを備え、
前記張出部を伸張するときは、前記ガイド部材から前記張出部材をスライドさせて張り出させることを特徴とする。
【０００６】
請求項３に記載の発明は、請求項２に記載の箱型パレットにおいて、前記張出部材のスライド方向に沿って該張出部材の側面に長孔を設けるとともに、該長孔に遊嵌するガイド突起を前記ガイド部材に設け、前記張出部材をスライドする際に、前記長孔が前記ガイド突起に案内されることを特徴とする。
【発明の効果】
【０００７】
請求項１に記載の発明によれば、フォークリフトにて搬送可能かつ上面に開口を有する箱型パレットにおいて、開口よりも小さな底板と、その底板の下側に伸縮自在の張出部とを設けた箱型パレットであって、張出部を伸張させると、複数の箱型パレットを積み重ねた際に、下段にある箱型パレットの開口の縁部に張出部が載置されて底板が下段にある箱型パレットの開口付近に配置された状態で段積みされ、張出部を収縮させると、複数の箱型パレットを積み重ねた際に、底板が下段にある箱型パレットの開口内に入り込んだ状態で段積みされるので、箱型パレットに物が載置されているときは張出部を伸張して箱型パレットを段積みする一方、箱型パレットが空のときは張出部を収縮させた状態で段積みするので、複数の空の箱型パレットを一箇所に段積みする際には高さを低く抑えることができる。したがって、空状態での保管スペースを低減した箱型パレットを提供することができる。
【０００８】
請求項２に記載の発明によれば、張出部が、角筒状のガイド部材と、そのガイド部材内にスライド自在に備える張出部材とを備え、張出部を伸張するときは、ガイド部材から張出部材をスライドさせて張り出させるので、簡単な構成で伸縮自在の張出部を設けることができる。
【０００９】
請求項３に記載の発明によれば、張出部材のスライド方向に沿ってその張出部材の側面に長孔を設けるとともに、その長孔に遊嵌するガイド突起をガイド部材に設け、張出部材をスライドする際に、長孔がガイド突起に案内されるので、より確実に張出部を伸縮させることができる。また、長孔の位置をコントロールすることによって、張出部材がガイド部材から脱落することを防止できる。
【発明を実施するための最良の形態】
【００１０】
以下、図面を参照しつつ、この発明を実施するための最良の形態について詳述する。
図１（ａ）はこの発明の箱型パレット１１の側面図、図１（ｂ）は図１（ａ）のＸ矢視側面図、図１（ｃ）は箱型パレット１１の底面図である。
箱型パレット１１は、それぞれ一対の側板１１Ａ，１１Ｂと、底板１１Ｃとを連結させて箱型形状に形成され、上面を開口Ｏとする。なお、底板１１Ｃは開口Ｏよりも小さくなるように側板１１Ａ，１１Ｂは外向きに傾斜して底板１１Ｃと連結される。
底板１１Ｃの下側には角筒状のガイド部材１４が底板１１Ｃの幅方向Ｌ４に渡って２箇所に取り付けられる。そして後に詳述するが、ガイド部材１４内にスライド自在に角筒状の張出部材１２を備える。この例では、２つのガイド部材１４の両端部より挿入して張出部材１２を４箇所に設ける。また、ガイド部材１４に隣接して引掛部１３を設ける。引掛部１３は断面形状がコの字状に形成され、底板１１Ｃの幅方向Ｌ４に渡って設けられる。
さらに、底板１１Ｃの長さ方向Ｌ２に渡って角筒状の補強部材１５を２箇所に取り付ける。補強部材１５の高さ寸法はガイド部材１４の高さ寸法よりも大きくなるように構成されている。
【００１１】
なお、後述するようにガイド部材１４と張出部材１２などによって張出部を構成する。
また、側板１１Ａ，１１Ｂ、底板１１Ｃ、ガイド部材１４、張出部材１２、補強部材１５はすべて鋳鉄製であり、これらの取付は溶接などによっている。
側板１１Ａの上辺の長さはＬ３，下辺の長さはＬ４、側板１１Ｂの上辺の長さはＬ１，下辺の長さはＬ２であり、Ｌ１＞Ｌ２、Ｌ３＞Ｌ４となるように構成するものとする。そして、側板１１Ａ，１１Ｂの上辺によって開口Ｏを形成する。なお、側板１１Ｂの上辺を縁部ＯＰと称する。
さらに、補強部材１５は角筒状で底板１１Ｃの長さ方向Ｌ２に沿って連続して設けられているが、ガイド部材１４および引掛部１３と交差する部分では、ガイド部材１４および引掛部１３を逃げて取り付けられるものとする。
【００１２】
図２（ａ）に張出部の拡大側面図を示す。
張出部は、底板１１Ｃの幅方向Ｌ４に渡って設けられた角筒形状のガイド部材１４と、そのガイド部材１４の両端に矢印方向にスライド自在に入り込む角筒形状の張出部材１２とからなる。張出部材１２には、側面１２Ｂの高さ方向略中央で張出部材１２の長手方向に沿って長孔１２Ｃを設けるとともに、ガイド部材１４の端部側には鉄板を下方に張り出すようにして取り付けて掛止部１２Ａとする。
【００１３】
図２（ｂ）は図２（ａ）のＹ矢視断面図である。
ガイド部材１４の側面には貫通孔が設けられており、その貫通孔に外側よりボルト（ガイド突起）１６を差し込む。このボルト１６は張出部材１２に形成された長孔１２Ｃにも貫通しており、張出部材１２の裏面上にてワッシャ１８およびナット１７にて止められている。なお、長孔１２Ｃの高さ方向の大きさは、張出部材１２がボルト１６にスライド自在に案内される程度にボルト１６の外径よりも大きく形成される。
【００１４】
スクラップを保管・搬送するための箱型パレット１１は、満杯となったときには別途用意された空の箱型パレット１１と交換する。
詳しくは、じか置きになっているスクラップ満杯の箱型パレット１１の４箇所の掛止部１２Ａをそれぞれ手でつかんで箱型パレット１１の外側に向かって引っ張って張出部材１２を伸張させ側面１２Ｂを露出させる。そして、フォークリフトの２本のフォークを側板１１Ｂ側から引掛部１３に挿入して引掛けて箱型パレット１１を持ち上げて、すでに満杯となって保管場所の床Ｆ上に置かれている別の箱型パレット１１に向けて搬送し、その別の箱型パレット１１上に載置する（図３）。
このとき、張出部材１２の先端部が別の箱型パレット１１の開口Ｏの縁部ＯＰに載置され、かつ側板１２Ａが縁部ＯＰの外側に引っかかるので、ズレを防止することができる。このようにして、複数の箱型パレット１１を段積みにする。
【００１５】
一方、スクラップを保管するために用意された空の箱型パレット１１は、張出部材１２を収縮させた状態（図１，２）で図４に示すように逆さまにした状態で段積みすることによって、複数の箱型パレット１１をコンパクトに重ねることができる。これは、箱型パレット１１の開口Ｏの大きさが、底板１１Ｃよりも大きく構成されているため、底板１１Ｃが開口Ｏより内側に入り込むことができるためである。
【００１６】
以上詳述したように、この例の箱型パレット１１は、上面に開口Ｏを有する、フォークリフトにて搬送可能な箱型パレット１１において、開口Ｏよりも小さな底板１１Ｃと、その底板１１Ｃに伸縮自在の張出部とを設けた箱型パレット１１であって、張出部を伸張させると、複数の箱型パレット１１を積み重ねた際に、下段にある箱型パレット１１の開口Ｏの縁部ＯＰに張出部が載置されて底板１１Ｃが下段にある箱型パレット１１の開口Ｏ付近に配置された状態で段積みされ、張出部を収縮させると、複数の箱型パレット１１を積み重ねた際に、底板１１Ｃが下段にある箱型パレット１１の開口Ｏ内に入り込んだ状態で段積みされる。
また、張出部が、底板１１Ｃの下側に取り付けられた角筒状のガイド部材１４と、そのガイド部材１４内にスライド自在に備える張出部材１２とを備え、張出部を伸張するときは、ガイド部材１４から張出部材１２をスライドさせて張り出させる。
さらに、張出部材１２のスライド方向に沿ってその張出部材１２の側面１２Ｂに長孔１２Ｃを設けるとともに、その長孔１２Ｃに遊嵌するボルト（ガイド突起）１６をガイド部材１４に設け、張出部材１２をスライドする際に、長孔１２Ｃがボルト１６に案内されるものである。
【００１７】
なお、上述の例ではガイド突起の一例としてボルト１６を用い、ボルト１６の先端にワッシャ１８およびナット１７を取り付けたが、この発明はこれに限定されるものではなく、例えばピンをガイド部材１４に形成された貫通孔に嵌めつけて溶接などで固設し、そのピンで張出部材１２の長孔１２Ｃを案内するようにしてもよい。
また、箱型パレット１１の外形は４つの側板１１Ａ，１１Ｂによって形成されることに限定されるものではなく、例えば、６つの側板と６角形の底板を用いて形成してもよい。
【００１８】
さらに、ガイド部材１４は底板１１Ｃの幅方向Ｌ４に渡って連続して形成する必要はなく、張出部材１２がスライドする部分のみに設けられていてもよい。この場合には、ガイド部材は、張出部材１２と同数だけ設けるものとする。
加えて、この例の張出部材１２は４箇所に備えたが、これに限定されるものではなく、例えば、６箇所に設けるようにしてもよい。このようにすると、箱型パレット１１に積載されたスクラップが重い場合には、６箇所の張出部材によって荷重を分散することができ、４箇所の場合に比べて、１本あたりの張出部材の耐荷重強度を小さくすることができる。
また、側板１１Ａ，１１Ｂには適宜、補強材を取り付けるようにしてもよい。このようにすると、側板１１Ａ，１１Ｂの板厚を薄くすることができ、箱型パレット１１の全体重量を軽量化することができる。
【図面の簡単な説明】
【００１９】
【図１】この発明の箱型パレットの一例の（ａ）は側面図、（ｂ）は（ａ）のＸ矢視側面図、（ｃ）は（ａ）の底面図である。
【図２】（ａ）は図１の箱型パレットに備える張出部付近の拡大側面図、（ｂ）は（ａ）のＹ矢視断面図である。
【図３】スクラップを満杯にした状態の図１の箱型パレットを段積みにしたときの様子を示す図である。
【図４】空状態の図１の箱型パレットを逆さまにして段積みにしたときの様子を示す図である。
【図５】従来の箱型パレットの（ａ）は側面図、（ｂ）は（ａ）のＡ矢視断面図、（ｃ）は（ａ）のＢ矢視断面図である。
【図６】図５の箱型パレットを段積みにして保管する状態を示す図である。
【符号の説明】
【００２０】
１１    箱型パレット
１１Ａ，１１Ｂ    側板
１１Ｃ    底板
１２    張出部材
１２Ａ    掛止部
１２Ｂ    側面
１２Ｃ    長孔
１３    引掛部
１４    ガイド部材
１５    補強部材
１６    ボルト（ガイド突起）
１７    ナット
１８    ワッシャ
Ｆ    床面
Ｏ    開口
ＯＰ    縁部
【図１】
2006199314.tif 000003
【図２】
2006199314.tif 000004
【図３】
2006199314.tif 000005
【図４】
2006199314.tif 000006
【図５】
2006199314.tif 000007
【図６】
2006199314.tif 000008